(57)【特許請求の範囲】
【請求項１】
浸水を防止するための堰を形成するウォーターフェンス本体部と、
前記ウォーターフェンス本体部の背面に配置され、前記ウォーターフェンス本体部の背面側への水の回り込みを抑制する回り込み抑制部材とを備え、
前記ウォーターフェンス本体部は、底面と設置面との間の水を吸い取る吸水装置を取り付けるための吸水装置取付部を含む、ウォーターフェンス。
【請求項２】
前記回り込み抑制部材は、弾性圧縮変形するとともに、前記背面側の構造物に密着するように構成されている、請求項１に記載のウォーターフェンス。
【請求項３】
前記回り込み抑制部材は、前記設置面近傍まで延びている、請求項１または２に記載のウォーターフェンス。
【請求項４】
前記ウォーターフェンス本体部の底面に配置され、前記設置面への設置性を向上させる設置力増強部材をさらに備える、請求項１〜３のいずれか１項に記載のウォーターフェンス。
【請求項５】
前記回り込み抑制部材と、前記設置力増強部材とは、互いに当接するように設けられている、請求項４に記載のウォーターフェンス。
【請求項６】
前記回り込み抑制部材は、吸水することにより膨張するように構成されている、請求項１〜５のいずれか１項に記載のウォーターフェンス。
【請求項７】
前記設置力増強部材は、設置時に、背面側部分が前面側部分よりも低くなるように構成されている、請求項４または５に記載のウォーターフェンス。
【請求項８】
前記ウォーターフェンス本体部は、複数に分割可能に構成されている、請求項１〜７のいずれか１項に記載のウォーターフェンス。
【請求項９】
前記ウォーターフェンス本体部は、第１本体部および第２本体部をさらに含み、
前記第１本体部の底面部には、凸状または凹状の第１嵌合部が設けられ、
前記第２本体部の底面部には、前記第１本体部の前記第１嵌合部が嵌合する第２嵌合部が設けられ、
少なくとも前記第２本体部に、前記回り込み抑制部材が設けられている、請求項１〜８のいずれか１項に記載のウォーターフェンス。
【発明の詳細な説明】
【技術分野】
【０００１】
この発明は、ウォーターフェンスに関する。
【背景技術】
【０００２】
従来、浸水を防止するための水嚢（ウォーターフェンス）が知られている（たとえば、特許文献１参照）。
【０００３】
上記特許文献１には、洪水などによって大量の水が流れ出た場合、袋体に水を注水して、流出した水による浸水を防ぐ堰として機能させるための水嚢（ウォーターフェンス）が開示されている。この特許文献１の水嚢は、流出した水によって水嚢が流されないように積載性や、設置性を向上させる為に水嚢の底面に吸盤が複数設けられている。
【先行技術文献】
【特許文献】
【０００４】
【特許文献１】特開２００５−１６３５１４号公報
【発明の概要】
【発明が解決しようとする課題】
【０００５】
しかしながら、上記特許文献１では、注水した袋体からなる水嚢を地面に設置して浸水を防ぐという構造であるため、設置面と水嚢との間に隙間が生じて、侵入してくる水を確実に止めることが困難であるという不都合がある。また、上記特許文献１の水嚢は、前面からの水をある程度止めることができるものの、ウォーターフェンスの側方から背面に回り込む水を止めることが困難であるという不都合もある。このため、浸水を効果的に抑制することが困難であるという問題点がある。
【０００６】
この発明は、上記のような課題を解決するためになされたものであり、この発明の１つの目的は、背面への水の回り込みを抑制して、浸水を効果的に抑制することが可能なウォーターフェンスを提供することである。
【課題を解決するための手段】
【０００７】
この発明の一の局面によるウォーターフェンスは、浸水を防止するための堰を形成するウォーターフェンス本体部と、ウォーターフェンス本体部の背面に配置され、ウォーターフェンス本体部の背面側への水の回り込みを抑制する回り込み抑制部材とを備え、ウォーターフェンス本体部は、底面と設置面との間の水を吸い取る吸水装置を取り付けるための吸水装置取付部を含む。
【０００８】
この発明の一の局面によるウォーターフェンスでは、上記のように、ウォーターフェンス本体部の背面に配置され、ウォーターフェンス本体部の背面側への水の回り込みを抑制する回り込み抑制部材を設ける。これにより、回り込み抑制部材を柱などの背面側の構造物に接触させることができるので、ウォーターフェンス本体部の背面と背面側の構造物との間に隙間が空くのを抑制することができる。その結果、背面への水の回り込みを抑制して、背面への浸水を効果的に抑制することができる。
【０００９】
上記一の局面によるウォーターフェンスにおいて、好ましくは、回り込み抑制部材は、弾性圧縮変形するとともに、背面側の構造物に密着するように構成されている。このように構成すれば、回り込み抑制部材が弾性変形して背面側の構造物に密着するので、回り込み抑制部材と背面側の構造物とのより大きな密着性を確保することができる。その結果、背面への水の回り込みを抑制して、背面への浸水をより効果的に抑制することができる。
【００１０】
上記一の局面によるウォーターフェンスにおいて、好ましくは、回り込み抑制部材は、設置面近傍まで延びている。このように構成すれば、下方側からの浸水（回り込み）を効果的に抑制することができるので、背面への水の回り込みを抑制して、浸水をより効果的に抑制することができる。
【００１１】
上記一の局面によるウォーターフェンスにおいて、好ましくは、ウォーターフェンス本体部の底面に配置され、設置面への設置性を向上させる設置力増強部材をさらに備える。このように構成すれば、凹凸のある設置面に対しての設置性や水密性を向上させることができるので、安定してウォーターフェンスを設置することができる。その結果、ウォーターフェンスの底面からの浸水を効果的に抑制することができる。
【００１２】
この場合に、好ましくは、回り込み抑制部材と、設置力増強部材とは、互いに当接するように設けられている。このように構成すれば、回り込み抑制部材と設置力増強部材との間において、ウォーターフェンス本体部の背面側への水の回り込みを効果的に抑制しながら、回り込もうとする水を排水することができるので、背面への水の回り込みを抑制して、浸水をより効果的に抑制することができる。
【００１３】
上記一の局面によるウォーターフェンスにおいて、好ましくは、回り込み抑制部材は、吸水することにより膨張するように構成されている。このように構成すれば、回り込み抑制部材が膨張することにより、ウォーターフェンス本体部の背面と背面側の構造物との間に一層隙間なく回り込み抑制部材を配置することができるので、背面への水の回り込みを抑制して、背面への浸水をより効果的に抑制することができる。
【００１４】
上記設置力増強部材を備える構成において、好ましくは、設置力増強部材は、設置時に、背面側部分が前面側部分よりも低くなるように構成されている。このように構成すれば、背面側の構造物側にウォーターフェンス本体部を寄り掛らせることができるので、ウォーターフェンスから背面側の構造物に押圧力を発生させることができる。その結果、ウォーターフェンスを背面側の構造物に、より押し付けて、より大きな密着性を確保することができる。したがって、背面への水の回り込みを抑制して、背面への浸水をより一層効果的に抑制することができる。
【００１５】
上記一の局面によるウォーターフェンスにおいて、好ましくは、ウォーターフェンス本体部は、複数に分割可能に構成されている。このように構成すれば、ウォーターフェンスの設置場所に応じてウォーターフェンスの大きさを調整することができる。
【００１６】
上記一の局面によるウォーターフェンスにおいて、好ましくは、ウォーターフェンス本体部は、第１本体部および第２本体部をさらに含み、第１本体部の底面部には、凸状または凹状の第１嵌合部が設けられ、第２本体部の底面部には、第１本体部の第１嵌合部が嵌合する第２嵌合部が設けられ、少なくとも第２本体部に、回り込み抑制部材が設けられている。このように構成すれば、第１本体部および第２本体部を組み合わせてウォーターフェンス本体部を組み立てる際に、端部を互いに当接させるとともに、第１嵌合部および第２嵌合部を嵌合させることができるので、底面部の高さを揃えて組み立てることができるとともに、第１本体部および第２本体部がずれることがない。これにより、組み立てたウォーターフェンス本体部の底面に設置力増強部材を容易に取り付けることができる。また、組み立て時に、第１本体部および第２本体部の向きを間違えるのを防止するとともに、精度よく位置決めを行うことができる。また、ウォーターフェンスの設置時にウォーターフェンス本体部の短手方向に力が加わった場合に、第２本体部が第１本体部に対して折れ曲がるのを抑制することが可能である。
【発明の効果】
【００１７】
本発明によれば、上記のように、背面への水の回り込みを抑制して、浸水を効果的に抑制することができる。
【図面の簡単な説明】
【００１８】
【図１】本発明の第１実施形態によるウォーターフェンスを設置した状態を上方から見た斜視図である。
【図２】本発明の第１実施形態によるウォーターフェンスを下方から見た斜視図である。
【図３】本発明の第１実施形態によるウォーターフェンスから設置力増強部材および回り込み抑制部材を取り外した状態を示した図である。
【図４】本発明の第１実施形態によるウォーターフェンスの分解斜視図である。
【図５】本発明の第１実施形態によるウォーターフェンスの第１部材を下方から見た斜視図である。
【図６】本発明の第１実施形態によるウォーターフェンスの第２部材を上方から見た斜視図である。
【図７】本発明の第１実施形態によるウォーターフェンスを設置面に設置した状態を示した模式的な側面断面図である。
【図８】本発明の第１実施形態によるウォーターフェンスの設置力増強部材および回り込み抑制部材の特性を示した表である。
【図９】本発明の第２実施形態によるウォーターフェンスを設置面に設置した状態を示した模式的な側面断面図である。
【図１０】本発明の第３実施形態によるウォーターフェンスを設置した状態を上方から見た斜視図である。
【図１１】本発明の第３実施形態によるウォーターフェンスを設置面に設置した状態を示した模式的な側面断面図である。
【発明を実施するための形態】
【００１９】
以下、本発明の実施形態を図面に基づいて説明する。
【００２０】
［第１実施形態］
（ウォーターフェンスの構成）
図１〜図８を参照して、本発明の第１実施形態について説明する。本実施形態によるウォーターフェンス１００は、建物への浸水を防いだり、工事現場などにおいて水を長時間せき止めたり、流れを有する河川などをせき止めたりするために用いられる。ウォーターフェンス１００は、図１および図２に示すように、ウォーターフェンス本体部１と、設置力増強部材２ａと、回り込み抑制部材２ｂとを備えている。ウォーターフェンス１００は、Ｘ方向に延びる細長形状を有しており、Ｙ方向の水を止めるように設置される。また、図１に示すように、ウォーターフェンス１００には、自吸機能を有した自吸ポンプ（以下「ポンプ」と称す）３が接続されている。ポンプ３は、急な増水に対しても信頼性の高い水没使用が可能な防水構造を有するポンプとすることが望ましい。また、ウォーターフェンス本体部１には、重りとして水を注水したり、ペットボトルなどの重り部材を配置可能に構成されている。なお、ポンプ３は、特許請求の範囲の「吸水装置」の一例である。
【００２１】
ウォーターフェンス本体部１は、第１部材１１と、第２部材１２と、連結部材１３と、パイプ１４と、パイプ１５（図３参照）とを含んでいる。第１部材１１は、凸部１１１（図３参照）と、篏合部１１２（図４参照）と、筒状部１１３（図５参照）と、板状部１１４（図５参照）と、フランジ部１１５（図５参照）とを有している。第２部材１２は、図６に示すように、重り取付部１２１と、凸部１２２（図３参照）と、嵌合部１２３（図４参照）と、凹部１２４および１２５とを有している。なお、第１部材１１は、特許請求の範囲の「第１本体部」の一例であり、第２部材１２は、特許請求の範囲の「第２本体部」の一例である。また、パイプ１４は、特許請求の範囲の「吸水装置取付部」の一例である。また、嵌合部１１２は、特許請求の範囲の「第１嵌合部」の一例であり、嵌合部１２３は、特許請求の範囲の「第２嵌合部」の一例である。
【００２２】
ウォーターフェンス本体部１は、浸水を防止するための堰を形成している。具体的には、ウォーターフェンス本体部１は、柱や壁あるいは扉（図示せず）などの前面側（Ｙ２方向側）に配置され、背面側（Ｙ１方向側）への浸水を防止する堰を形成している。また、ウォーターフェンス本体部１は、図１に示すように、第１部材１１のＸ方向の両端に、それぞれ、第２部材１２が連結されている。また、ウォーターフェンス本体部１は、複数に分割可能に構成されている。具体的には、第２部材１２は、第１部材１１に対してＸ方向に隣接して配置されている。
【００２３】
また、第２部材１２は、Ｘ方向において第１部材１１を挟むように一対設けられている。一対の第２部材１２は、第１部材１１を挟み込んだ状態で、弾性を有する連結部材１３により挟持されることにより、連結されている。具体的には、図４に示すように、一対の第２部材１２が第１部材１１を挟んでＸ方向に隣接して配置された状態で、Ｙ方向の両側（Ｙ１方向およびＹ２方向）に設けられた連結部材１３により、第１部材１１および一対の第２部材１２が連結されている。
【００２４】
第１部材１１は、水を透過させない素材により形成されている。第１部材１１は、たとえば、ゴムや樹脂あるいは金属などにより形成されている。好ましくは、第１部材１１は、弾性材料により形成されている。また、第１部材１１は、第２部材１２よりも比重が大きい材料により形成されている。
【００２５】
図３に示すように、第１部材１１の下面側（Ｚ２方向側）には、凸部１１１が設けられている。凸部１１１の外側の平坦面には、設置力増強部材２ａが取り付けられるように構成されている。また、凸部１１１は、吸水口部が設けられたパイプ１５をＹ方向に挟み込むように、一対設けられている。また、凸部１１１は、第１部材１１に連結される第２部材１２の凸部１２２とつながるように形成されている。
【００２６】
図４および図５に示すように、第１部材１１の底部（Ｚ２方向側部）には、第２部材１２側（Ｘ方向）に凸状に突出する篏合部１１２が設けられている。篏合部１１２は、第２部材１２の嵌合部１２３に嵌合するように構成されている。また、篏合部１１２は、平面視において（Ｚ方向から見て）、第２部材１２とオーバーラップするように配置されている。つまり、篏合部１１２は、第１部材１１および第２部材１２を底面を上にして組立てた場合に、図３に示すように、第２部材１２に覆いかぶさるように、嵌合部１２３に嵌合する。
【００２７】
図５に示すように、筒状部１１３は、上下方向（Ｚ方向）に延びるように形成されている。また、筒状部１１３は、第１部材１１のＹ方向の中央近傍に配置されている。また、筒状部１１３は、第１部材１１のＸ方向の中央近傍に配置されている。また、筒状部１１３は、第２部材１２の凹部１２４に嵌り込むように構成されている。図４および図５に示すように、筒状部１１３の内側には、ポンプ３により底面と設置面Ｓ（図１参照）との間の水を吸い取るための流路１１３ａが設けられている。つまり、筒状部１１３の流路１１３ａは、上下方向に貫通するように設けられている。
【００２８】
筒状部１１３の上部（流路１１３ａ）には、ポンプ３を取り付けるためのパイプ１４が挿入されている。パイプ１４は、たとえば、金属により形成されている。また、パイプ１４は、略Ｌ字形状に形成されている。パイプ１４の外側の端部には、ポンプ３に接続される管（ホースなど）が接続されるように構成されている。
【００２９】
筒状部１１３の底部には、吸水口部が設けられたパイプ１５が挿入されている。パイプ１５の下側（Ｚ２方向側）の端部は、凸部１１１の下端近傍（Ｚ２方向側の端部近傍）に配置されている。これにより、ウォーターフェンス本体部１の底面１ａと設置面Ｓとの間の水が、ポンプ３により吸水される。
【００３０】
板状部１１４は、図５に示すように、筒状部１１３に対してＹ方向に接続され、Ｙ方向に延びるように形成されている。
【００３１】
フランジ部１１５は、筒状部１１３の上部に配置されている。また、フランジ部１１５は、略水平方向（ＸＹ方向）に突出するように形成されている。また、フランジ部１１５は、第２部材１２の凹部１２５に嵌り込むように構成されている。
【００３２】
図１に示すように、第２部材１２は、直方体の箱型形状を有している。また、第２部材１２は、Ｘ方向に延びるように形成されている。また、第２部材１２は、水を透過させない素材により形成されている。第２部材１２は、たとえば、発泡スチロールやゴムや樹脂あるいは金属などにより形成されている。好ましくは、第２部材１２は、発泡材料により形成されている。第２部材１２の重り取付部１２１には、重りとしてのペットボトルなどが取り付けられるように構成されている。第２部材１２の重り取付部１２１にペットボトルなどの重りが取り付けられることによりウォーターフェンス１００に加わる荷重を増すことが可能なように構成されている。なお、重り取付部１２１に、水、石、砂、土などを入れて重りとしてもよい。
【００３３】
図３に示すように、第２部材１２の下面側（Ｚ２方向側）には、凸部１２２が設けられている。凸部１２２の外側の平坦面には、設置力増強部材２ａが取り付けられるように構成されている。また、凸部１２２は、略Ｕ字形状に形成されている。また、凸部１２２は、第２部材１２に連結される第１部材１１の凸部１１１とつながるように形成されている。つまり、第１部材１１の凸部１１１と、第２部材１２の凸部１２２とが連結されて、長方形のロ字形状の凸部が形成される。ロ字形状の凸部の内側は、ポンプ３により吸水される水の通り道となる。
【００３４】
図４に示すように、第２部材１２の底部（Ｚ２方向側部）には、第１部材１１の篏合部１１２が嵌合する嵌合部１２３が設けられている。具体的には、嵌合部１２３は、凹状に形成されており、凸状の篏合部１１２が嵌合するように構成されている。
【００３５】
図６に示すように、凹部１２４は、第１部材１１の筒状部１１３に対応する部分に形成されている。つまり、第１部材１１および第２部材１２を組み合わせた場合に、第１部材１１の筒状部１１３が第２部材１２の凹部１２４に嵌り込むように構成されている。凹部１２５は、第１部材１１のフランジ部１１５に対応する部分に形成されている。つまり、第１部材１１および第２部材１２を組み合わせた場合に、第１部材１１のフランジ部１１５が第２部材１２の凹部１２５に嵌り込むように構成されている。
【００３６】
図２に示すように、設置力増強部材２ａは、ウォーターフェンス本体部１の底面１ａに配置され、ウォーターフェンス本体部１の設置面Ｓ（図１参照）への設置性を向上させるように構成されている。つまり、ウォーターフェンス本体部１の設置時の自重と、ポンプ３が吸水することとによって、設置力増強部材２ａは、弾性圧縮変形するとともに、外部の水を所定量透過させることにより、ウォーターフェンス本体部１の設置面Ｓ内の圧力を低圧安定させるように構成されている。
【００３７】
具体的には、設置力増強部材２ａは、ウォーターフェンス本体部１の自重と、ポンプ３が吸水することにより生じる負圧とにより、水の透過率が所定の値となることにより、ウォーターフェンス本体部１の底面１ａと設置面Ｓとの間に外部からの水を所定量透過させてポンプ３の自吸水を確保するように構成されている。
【００３８】
設置力増強部材２ａは、半連続気泡構造を有しており、圧縮変形されることにより水の透過率が変化するように構成されている。設置力増強部材２ａは、たとえば、半連続気泡構造の気孔率５０％〜６０％程度のやわらかいスポンジにより形成されている。また、設置力増強部材２ａは、半連続気泡構造のスポンジが圧縮されることによりスポンジの孔が小さくなり、水の透過率が変わるように構成されている。また、設置力増強部材２ａは、圧縮力がかからない状態において、たとえば、約２０ｍｍ以上約３０ｍｍ以下の高さを有する。ポンプ３が駆動された場合、半連続気泡構造のスポンジは５０〜８０％程度圧縮されることが望ましい。また、設置力増強部材２ａは、第１部材１１よりも柔らかい材料により形成されている。
【００３９】
設置力増強部材２ａは、ウォーターフェンス本体部１の自重と、重り収容部１２１に取り付けられた重りと、ポンプ３の吸引力によって生じる負圧とにより圧縮されるように構成されている。また、ポンプ３は設置力増強部材２ａを透過した水を、設置面Ｓ内側の空間の空気と共に吸引するように構成されている。つまり、設置力増強部材２ａにより吸水された水が第１部材１１の流路１１３ａを介してポンプ３に吸引されるように構成されている。なお、ポンプ３は、空気とともに水を吸い込むので、ポンプ３の吐出口から水を吐き出す状態と、ポンプ３の吐出口から少しの水を空気とともに吐き出す状態とを数秒程度の周期で繰り返す間欠運転となる。
【００４０】
また、ポンプ３により、設置力増強部材２ａを透過した水を、設置面Ｓ内側の空間の空気と共に吸引することにより、ウォーターフェンス本体部１と設置面Ｓとの間の空間の真空度が上げられる。これにより、設置面Ｓに対してウォーターフェンス本体部１を安定させて配置することが可能に構成されている。その結果、ウォーターフェンス本体部１が水により押されて変形したり、流されたりすることを効果的に抑制することが可能である。
【００４１】
また、設置力増強部材２ａは、第１部材１１の凸部１１１の外側の平坦面および第２部材１２の凸部１２２の外側の平坦面に取り付けられるように構成されている。具体的には、設置力増強部材２ａは、両面テープなどの接着層を介して、第１部材１１および第２部材１２の底面に取り付けられる。また、設置力増強部材２ａは、図７に示すように、側面視（Ｘ方向から見て）において、柱Ｈとは逆側（Ｙ２方向側）の一方端部が、第２部材１２の前面（Ｙ２方向側の面）と略面一となるように配置されている。また、設置力増強部材２ａは、側面視（Ｘ方向から見て）において、柱Ｈ側（Ｙ１方向側）の他方端部が、第２部材１２の背面１ｂよりも後方に突出しており、回り込み抑制部材２ｂの背面と略面一となるように配置されている。また、設置力増強部材２ａは、第２部材１２の背面１ｂよりも後方に突出した部分の上側（Ｚ１方向側の面）の面が、回り込み抑制部材２ｂと当接するように配置されている。したがって、ウォーターフェンス１００は、設置力増強部材２ａと回り込み抑制部材２ｂとにより、ウォーターフェンス１００の前方側（Ｙ２方向側）および側方側（Ｘ方向）の空間と、ウォーターフェンス１００の背面側（Ｙ１方向側）の空間とを隙間なく区切るように構成されている。また、回り込み抑制部材２ｂは、底面が設置力増強部材２ａが設置される第２部材１２の底面と略面一となるように配置されている。なお、柱Ｈは、特許請求の範囲の「構造物」の一例である。
【００４２】
（回り込み抑制部材の構成）
図４に示すように、回り込み抑制部材２ｂは、第２部材１２の背面１ｂに配置されている。また、回り込み抑制部材２ｂは、Ｘ方向において連結部材１３が設けられた部分を除いた背面１ｂの略全域に配置されている。また、回り込み抑制部材２ｂは、背面１ｂに沿って延びる平板形状に形成されている。
【００４３】
図１に示すように、回り込み抑制部材２ｂは、ウォーターフェンス本体部１の背面１ｂ側（図３参照）への水の回り込みを抑制するように構成されている。また、回り込み抑制部材２ｂは、ウォーターフェンス本体部１の前面側の水の圧力により、背面１ｂ側の柱Ｈに押し付けられて、弾性圧縮変形するように構成されている。その結果、回り込み抑制部材２ｂは、背面１ｂ側の柱Ｈに密着するように構成されている。なお、四角柱形状の柱Ｈではなく、円柱形状などの柱Ｈに、回り込み抑制部材２ｂを、密着させてもよい。また、柱Ｈではなく、壁面などに回り込み抑制部材２ｂを密着させてもよい。
【００４４】
図７に示すように、ウォーターフェンス本体部１の背面側の設置力増強部材２ａは、柱Ｈに当接する位置まで延びて配置されており、回り込み抑制部材２ｂは、設置力増強部材２ａと密着するように設けられている。また、回り込み抑制部材２ｂは、ウォーターフェンス本体部１の側面から背面１ｂ側に回り込もうとする水を止める（浸水を抑制する）ように構成されている。詳細には、回り込み抑制部材２ｂは、水を吸水し、膨張するように構成されている。その結果、回り込み抑制部材２ｂは、ウォーターフェンス本体部１の背面側へ回り込もうとする水を吸水することで膨張し、ウォーターフェンス本体部１の側面と背面１ｂ側の構造物（柱Ｈ）との間に隙間なく配置されて、ウォーターフェンス本体部１の側面から背面１ｂ側に回り込もうとする水を効果的に止める（浸水を抑制する）ように構成されている。より詳細に説明すると、回りこみ抑制部材２ｂは、吸水による体積膨張で、回り込み抑制部材２ｂを構成するセル間の隙間を埋めて高止水性を発揮するように構成されている。また、設置力増強部材２ａは、柱Ｈに当接する位置まで延びて配置されている。このため、ウォーターフェンス本体部１の背面側へ回り込もうとする水を設置力増強部材２ａで吸水し、ポンプ３によって吸引することができるので、ウォーターフェンス本体部１の背面側へ回り込もうとする水を排水することができる。また、回り込み抑制部材２ｂは、半連続気泡構造を有しており、圧縮変形されることにより水の透過率が変化するように構成されている。回り込み抑制部材２ｂは、たとえば、半連続気泡構造の気孔率５０％〜６０％程度のやわらかいスポンジにより形成されている。また、回り込み抑制部材２ｂは、半連続気泡構造のスポンジが圧縮されることによりスポンジの孔が小さくなり、水の透過率が変わるように構成されている。
【００４５】
（設置力増強部材および回り込み抑制部材の特性）
図８を参照して、設置力増強部材２ａおよび回り込み抑制部材２ｂの特性の一例について説明する。
【００４６】
設置力増強部材２ａは、たとえば、気孔率が９０％であり、引張強さが８０ｋＰａであり、伸びが４５０％である。また、設置力増強部材２ａは、圧縮硬さが、圧縮率が２５％の場合、３．３ｋＰａである。
【００４７】
回り込み抑制部材２ｂは、たとえば、引張強さが２６０ｋＰａであり、伸びが２００％である。また、回り込み抑制部材２ｂは、圧縮硬さが、圧縮率が２５％の場合、１３ｋＰａである。また、回り込み抑制部材２ｂは、浸漬後に十分時間経過した状態の膨張率（（浸漬後の厚み−浸漬前の厚み）／（浸漬前の厚み）×１００）が約１５．５％である。
【００４８】
ポンプ３は、ウォーターフェンス本体部１の底面１ａと設置面Ｓとの間の水を吸い取るように構成されている。また、ポンプ３は、水深が浅い水を吸水可能に構成されている。これにより、ポンプ３は、設置面Ｓとウォーターフェンス本体部１の底面１ａとの間に浸水した少量の水を効果的に排水することが可能である。
【００４９】
（第１実施形態の効果）
第１実施形態では、以下のような効果を得ることができる。
【００５０】
第１実施形態では、上記のように、ウォーターフェンス本体部１の背面１ｂに配置され、ウォーターフェンス本体部１の背面１ｂ側への水の回り込みを抑制する回り込み抑制部材２ｂを設ける。これにより、回り込み抑制部材２ｂを背面１ｂ側の柱Ｈに接触させることができるので、ウォーターフェンス本体部１の背面１ｂと背面１ｂ側の柱Ｈとの間に隙間が空くのを抑制することができる。その結果、背面１ｂへの水の回り込みを抑制して、背面１ｂへの浸水を効果的に抑制することができる。
【００５１】
また、第１実施形態では、上記のように、回り込み抑制部材２ｂを、弾性圧縮変形するとともに、背面１ｂ側の柱Ｈに密着するように構成する。これにより、回り込み抑制部材２ｂが弾性変形して背面１ｂ側の柱Ｈに密着するので、回り込み抑制部材２ｂと背面１ｂ側の柱Ｈとのより大きな密着性を確保することができる。その結果、背面１ｂへの水の回り込みを抑制して、浸水をより効果的に抑制することができる。
【００５２】
また、第１実施形態では、上記のように、回り込み抑制部材２ｂを、設置面Ｓ近傍まで延びるように構成する。これにより、下方側からの浸水（回り込み）を効果的に抑制することができるので、背面１ｂへの水の回り込みを抑制して、浸水をより効果的に抑制することができる。
【００５３】
また、第１実施形態では、上記のように、ウォーターフェンス本体部１の底面１ａに配置され、設置面Ｓへの設置性を向上させる設置力増強部材２ａを設ける。これにより、凹凸のある設置面Ｓに対しての設置性や水密性を向上させることができるので、安定してウォーターフェンス１００を設置することができる。その結果、ウォーターフェンス１００の底面１ａからの背面１ｂへの浸水を効果的に抑制することができる。
【００５４】
また、第１実施形態では、上記のように、回り込み抑制部材２ｂと、設置力増強部材２ａとを、互いに当接するように設ける。これにより、回り込み抑制部材２ｂと設置力増強部材２ａとの間において、ウォーターフェンス本体部１の背面側への水の回り込みを効果的に抑制しながら、回り込もうとする水を排水することができるので、背面１ｂへの水の回り込みを抑制して、浸水をより効果的に抑制することができる。
【００５５】
また、第１実施形態では、上記のように、回り込み抑制部材２ｂを、吸水することにより膨張するように構成する。これにより、回り込み抑制部材２ｂが膨張することにより、ウォーターフェンス本体部１の背面１ｂと背面１ｂ側の構造物（柱Ｈ）との間に一層隙間なく回り込み抑制部材２ｂを配置することができるので、背面１ｂへの水の回り込みを抑制して、背面１ｂへの浸水をより効果的に抑制することができる。
【００５６】
また、第１実施形態では、上記のように、ウォーターフェンス本体部１を、複数に分割可能に構成する。これにより、ウォーターフェンス１００の設置場所に応じてウォーターフェンス１００の大きさを調整することができる。
【００５７】
また、第１実施形態では、上記のように、ウォーターフェンス本体部１に、第１部材１１および第２部材１２を設け、第１部材１１の底面部に、凸状または凹状の嵌合部１１５を設け、第２部材１２の底面部に、第１部材１１の嵌合部１１５が嵌合する嵌合部１２４を設け、第２部材１２に、回り込み抑制部材２ｂを設ける。これにより、第１部材１１および第２部材１２を組み合わせてウォーターフェンス本体部１を組み立てる際に、端部を互いに当接させるとともに、嵌合部１１５および嵌合部１２４を嵌合させることができるので、底面部の高さを揃えて組み立てることができるとともに、第１部材１１および第２部材１２がずれることがない。これにより、組み立てたウォーターフェンス本体部１の底面に設置力増強部材２ａを容易に取り付けることができる。また、組み立て時に、第１部材１１および第２部材１２の向きを間違えるのを防止するとともに、精度よく位置決めを行うことができる。また、ウォーターフェンス１００の設置時にウォーターフェンス本体部１の短手方向に力が加わった場合に、第２部材１２が第１部材１１に対して折れ曲がるのを抑制することが可能である。
【００５８】
［第２実施形態］
次に、図１および図９を参照して、本発明の第２実施形態について説明する。この第２実施形態では、回り込み抑制部材２ｂと設置力増強部材２ａとが異なる材料で構成され、回り込み抑制部材２ｂの底面が、設置力増強部材２ａが設置される第２部材１２の底面と略面一となる上記第１実施形態とは異なり、回り込み抑制部材２０２ｂと設置力増強部材２０２ａとが同一の材料で構成され、回り込み抑制部材２０２ｂの底面が、設置面Ｓまで伸びて構成されている例について説明する。
【００５９】
（ウォーターフェンスの構成）
第２実施形態のウォーターフェンス２００は、図１に示すように、ウォーターフェンス本体部１と、設置力増強部材２０２ａと、回り込み抑制部材２０２ｂとを備えている。
【００６０】
（設置力増強部材の構成および回り込み抑制部材の構成）
図９に示すように、回り込み抑制部材２０２ｂと設置力増強部材２０２ａとは互いに当接して配置されている。詳細には、設置力増強部材２０２ａは、側面視（Ｘ方向から見て）において、柱Ｈとは逆側（Ｙ２方向側）の一方端部が、第２部材１２の前面（Ｙ２方向側の面）と略面一となるように配置されている。また、設置力増強部材２０２ａは、側面視（Ｘ方向から見て）において、柱Ｈ側（Ｙ１方向側）の他方端部が、第２部材１２の背面１ｂと略面一となるように配置されている。また、回り込み抑制部材２０２ｂは、第２部材１２の底面よりも下方（Ｚ２方向）に突出しており、設置時において、底面が設置力増強部材２０２ａの底面と面一になるように配置されている。また、回り込み抑制部材２０２ｂは、第２部材１２の底面よりも下方（Ｚ２方向）に突出した部分の前方側（Ｙ２方向側の面）の面が、回り込み抑制部材２０２ｂと当接するように配置されている。したがって、ウォーターフェンス２００は、設置力増強部材２０２ａと回り込み抑制部材２０２ｂとにより、ウォーターフェンス２００の前方側（Ｙ２方向側）および側方側（Ｘ方向）の空間と、ウォーターフェンス２００の背面側（Ｙ１方向側）の空間とを隙間なく区切るように構成されている。
【００６１】
なお、第２実施形態のその他の構成は、上記第１実施形態と同様である。
【００６２】
（第２実施形態の効果）
第２実施形態では、以下のような効果を得ることができる。
【００６３】
第２実施形態では、上記第１実施形態と同様に、ウォーターフェンス本体部１の背面１ｂに配置され、ウォーターフェンス本体部１の背面１ｂ側への水の回り込みを抑制する回り込み抑制部材２０２ｂを設ける。これにより、背面１ｂへの水の回り込みを抑制して、背面１ｂへの浸水を効果的に抑制することができる。
【００６４】
また、第２実施形態では、上記のように、回り込み抑制部材２ｂを、設置力増強部材２ａと同一の材料で構成する。これにより、回り込み抑制部材２ｂが吸水した水を、設置力増強部材２ａを介してポンプ３により排水することができる。
【００６５】
なお、第２実施形態のその他の効果は、上記第１実施形態と同様である。
【００６６】
［第３実施形態］
次に、図１０および図１１を参照して、本発明の第３実施形態について説明する。この第３実施形態では、設置時に、設置力増強部材２ａの下面とウォーターフェンス本体部１の底面１ａとが平行になるようにして、設置力増強部材２ａの背面側部分と前面側部分との高さが同じになるように構成した上記第１実施形態とは異なり、設置時に、設置力増強部材３０２ａの背面側部分３０２ｂが前面側部分３０２ｃよりも低くなるように構成する例について説明する。
【００６７】
（ウォーターフェンスの構成）
第３実施形態のウォーターフェンス３００は、図１０に示すように、ウォーターフェンス本体部１と、設置力増強部材３０２ａと、回り込み抑制部材２ｂとを備えている。
【００６８】
（設置力増強部材の構成の構成）
図１１に示すように、設置力増強部材３０２ａは、設置面Ｓへの設置時に、背面側部分３０２ｂ（二点鎖線で囲われた部分）が前面側部分３０２ｃ（一点鎖線で囲われた部分）よりも低く（高さ方向に短く）なるように構成されている。
【００６９】
詳細には、設置力増強部材３０２ａは、設置面Ｓへの設置時に、背面側部分３０２ｂが前面側部分３０２ｃよりも低く（高さ方向に短く）なるように、弾性圧縮されるように構成されている。設置面Ｓは、背面１ｂ側に向かうにつれて高くなるように水平面に対して角度θで傾斜している。回り込み抑制部材２ｂは、設置時に、柱Ｈ側に傾斜することにより、柱Ｈを押圧して、柱Ｈに密着するように構成されている。
【００７０】
なお、第３実施形態のその他の構成は、上記第１実施形態と同様である。
【００７１】
（第３実施形態の効果）
第３実施形態では、以下のような効果を得ることができる。
【００７２】
第３実施形態では、上記第１実施形態と同様に、ウォーターフェンス本体部１の背面１ｂに配置され、ウォーターフェンス本体部１の背面１ｂ側への水の回り込みを抑制する回り込み抑制部材２ｂを設ける。これにより、背面１ｂへの水の回り込みを抑制して、背面１ｂへの浸水を効果的に抑制することができる。
【００７３】
また、第３実施形態では、上記のように、設置力増強部材３０２ａを、設置時に、背面側部分３０２ｂが前面側部分３０２ｃよりも低くなるように構成する。これにより、背面１ｂ側の柱Ｈ側にウォーターフェンス本体部１を寄り掛らせることができるので、ウォーターフェンス３００から背面１ｂ側の柱Ｈに押圧力を発生させることができる。その結果、ウォーターフェンス３００を背面１ｂ側の柱Ｈに、より押し付けて、より大きな密着性を確保することができる。したがって、背面１ｂへの水の回り込みを抑制して、浸水をより一層効果的に抑制することができる。
【００７４】
なお、第３実施形態のその他の効果は、上記第１実施形態と同様である。
【００７５】
（変形例）
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更（変形例）が含まれる。
【００７６】
たとえば、上記第１〜第３実施形態では、回り込み抑制部材をウォーターフェンス本体部の背面の略全域に設けた例を示したが、本発明はこれに限らない。本発明では、回り込み抑制部材をウォーターフェンス本体部の背面の一部に設けてもよい。
【００７７】
また、上記第１〜第３実施形態では、第２本体部に回り込み抑制部材を設けた例を示したが、本発明はこれに限らない。本発明では、第１本体部に回り込み抑制部材を設けてもよい。
【００７８】
また、上記第１〜第３実施形態では、設置力増強部材が、１層により形成されている例を示したが、本発明はこれに限らない。本発明では、設置力増強部材を２層以上により形成してもよい。また、設置力増強部材を設けなくてもよい。
【００７９】
また、上記第１〜第３実施形態では、吸水装置として自吸式のポンプを用いる例を示したが、本発明はこれに限らない。本発明では、自吸式に限らず、吸水機能を有するポンプであれば特に限定されない。また、真空ポンプや掃除機などの真空吸引方式の吸引装置を用いてもよい。
【００８０】
また、上記第１〜第３実施形態では、ウォーターフェンス本体部の第１部材と第２部材とを連結部材により係合させて連結する構成の例を示したが、本発明はこれに限らない。本発明では、ウォーターフェンス本体部の第１部材と第２部材とをボルトにより締結して連結してもよい。
【００８１】
また、上記第１〜第３実施形態では、ウォーターフェンス本体部を分割して設けた例を示したが、本発明はこれに限らない。本発明では、ウォーターフェンス本体部を分割することなく一体的に設けてもよい。
【００８２】
また、上記第１〜第３実施形態では、ポンプを取り付けるためのパイプと、吸水口部が設けられたパイプとの２つを設けた例を示したが、本発明はこれに限らない。本発明では、設置面Ｓにまで当接する長さのＬ字状のパイプを１本用いて第１部材の筒状部に挿入するよう構成してもよい。
【００８３】
また、上記第２実施形態では、回り込み抑制部材と、設置力増強部材とを同じ材料により形成した例を示したが、本発明はこれに限らない。本発明では、第２実施形態の構成で、回り込み抑制部材と、設置力増強部材との材料を第１実施形態と同じ材料により形成してもよい。
【００８４】
また、上記第２実施形態では、同一材料で構成した回り込み抑制部材と、設置力増強部材とを、それぞれ別体で設ける例を示したが、本発明はこれに限らない。本発明では、回り込み抑制部材と、設置力増強部材とを一体的に構成してもよい。
【００８５】
また、上記第３実施形態では、ウォーターフェンスを傾斜した設置面Ｓに設置した例を示したが、本発明はこれに限らない。本発明では、ウォーターフェンスを水平な設置面Ｓに設置してもよい。
【符号の説明】
【００８６】
１  ウォーターフェンス本体部
１ａ  底面
１ｂ  背面
２ａ、２０２ａ、３０２ａ  設置力増強部材
２ｂ、２０２ｂ  回り込み抑制部材
３  ポンプ（吸水装置）
１１  第１部材（第１本体部）
１２  第２部材（第２本体部）
１４  パイプ（吸水装置取付部）
１００、２００、３００  ウォーターフェンス
１１２  嵌合部（第１嵌合部）
１２３  嵌合部（第２嵌合部）
３０２ｂ  背面側部分
３０２ｃ  前面側部分
Ｓ  設置面
Ｈ  柱（構造物）
【図１】
0006537989.tif 000002
【図２】
0006537989.tif 000003
【図３】
0006537989.tif 000004
【図４】
0006537989.tif 000005
【図５】
0006537989.tif 000006
【図６】
0006537989.tif 000007
【図７】
0006537989.tif 000008
【図８】
0006537989.tif 000009
【図９】
0006537989.tif 000010
【図１０】
0006537989.tif 000011
【図１１】
0006537989.tif 000012